(57)【要約】【課題】筒状包材における横シール予定部近傍側部に折込部材を当接させることにより該筒状包材を内方に折り込むと共に、この折り込まれた状態で筒状包材を横シール部材により幅方向に横シールすることにより折込部を有する袋を成形する製袋包装機において、袋生産の高速化を達成可能な製袋包装機を提供する。【解決手段】  筒状包材Ｆｂを連続的に移送する移送手段１３，１３と、横シール部材２３…２３及び折込部材３４，３４，３５，３５を、横シール及び折り込みに際し、前記移送手段１３，１３で連続的に移送される筒状包材Ｆｂに追従して移動させる第１、第２の駆動手段とを設ける。【選択図】図２
2007145366.tif 000002
【特許請求の範囲】
【請求項１】
筒状包材における横シール予定部近傍側部に折込部材を当接させることにより該筒状包材を内方に折り込むと共に、この折り込まれた状態で筒状包材を横シール部材により幅方向に横シールすることにより折込部を有する袋を成形する製袋包装機であって、
前記筒状包材を連続的に移送する移送手段と、
前記横シール部材及び折込部材を、横シール及び折り込みに際し、前記移送手段により連続的に移送される筒状包材に追従してそれぞれ移動させる第１、第２の駆動手段とが設けられていることを特徴とする製袋包装機。
【請求項２】
請求項１に記載の製袋包装機であって、
第１の駆動手段の駆動源と第２の駆動手段の駆動源とは共用されていることを特徴とする製袋包装機。
【請求項３】
請求項１または請求項２に記載の製袋包装機であって、
筒状包材が円筒状のものである場合に、筒状包材の移送経路上における折込開始位置よりも上流側に、該筒状包材を四角筒状に整形する整形手段が備えられていることを特徴とする製袋包装機。
【発明の詳細な説明】
【技術分野】
【０００１】
本発明は、筒状包材を折込部を有する袋に成形しつつその袋に物品を充填して袋詰め商品を連続生産する製袋包装機に関し、物品包装の技術分野に属する。
【背景技術】
【０００２】
一般に、ポテトチップスのようなスナック菓子等の物品を包材で袋状に包装した商品を連続生産する製袋包装機は、チューブの周囲に帯状包材を巻き付けて筒状に曲成し、該包材を搬送しながら重ね合わせ部を長手方向に縦シールして筒状の包材としたのち、幅方向に横シール及び切断を行って製袋しつつ、その製袋過程において、例えば組合せ計量装置等から排出されて前記チューブに順次投入される物品を個々の袋に充填するものである。
【０００３】
その場合に、製袋された袋に高級感を付与する等の目的で、図１８に示すように、袋Ｙの横シール部Ｓ，Ｓ近傍両側部に内方への折込部Ｇ…Ｇ（ガセット）を形成することがあり、このような折込部Ｇ…Ｇを形成可能な製袋包装機として、例えば特許文献１に開示されたものがある。この製袋包装機は、図１９に示すように、実線に示す位置と仮想線で示す位置との間で往復動可能に設けられた折込部材１０１，１０１，１０２，１０２を有しており、図上上方から下方へ移送される筒状包材Ｆの移送を一旦停止した状態で、該折込部材１０１，１０１，１０２，１０２を仮想線で示す位置から実線で示す位置に移動させて横シール予定部Ｓ′の近傍両側部に当接させることにより、該筒状包材Ｆを内方に折り込ませて折込部Ｇ…Ｇを形成し、この状態で図示しない横シール部材により横シールし、かつカッタによりラインＬで切断して袋に成形し、その後、筒状包材Ｆの移送を再開して物品を充填した後、上記工程を繰り返し行うものである。
【０００４】
【特許文献１】特開２００３−３１２６１８号公報
【発明の開示】
【発明が解決しようとする課題】
【０００５】
ところで、前記特許文献１に記載の製袋包装機においては、筒状包材Ｆの折り込み及び横シールの際、筒状包材Ｆの移送を一旦停止するので、筒状包材Ｆの移送が間欠的となり、袋の生産を高速化しようとしても限界がある。
【０００６】
そこで、本発明は、筒状包材における横シール予定部近傍側部に折込部材を当接させることにより該筒状包材を内方に折り込むと共に、この折り込まれた状態で筒状包材を横シール部材により幅方向に横シールすることにより折込部を有する袋を成形する製袋包装機において、袋生産の高速化を達成可能な製袋包装機を提供することを課題とする。
【課題を解決するための手段】
【０００７】
前記課題を解決するために、本発明は、次のように構成したことを特徴とする。
【０００８】
まず、本願の請求項１に記載の発明は、筒状包材における横シール予定部近傍側部に折込部材を当接させることにより該筒状包材を内方に折り込むと共に、この折り込まれた状態で筒状包材を横シール部材により幅方向に横シールすることにより折込部を有する袋を成形する製袋包装機であって、前記筒状包材を連続的に移送する移送手段と、前記横シール部材及び折込部材を、横シール及び折り込みに際し、前記移送手段により連続的に移送される筒状包材に追従してそれぞれ移動させる第１、第２の駆動手段とが設けられていることを特徴とする。
【０００９】
また、請求項２に記載の発明は、請求項１に記載の発明において、第１の駆動手段の駆動源と第２の駆動手段の駆動源とは共用されていることを特徴とする。
【００１０】
そして、請求項３に記載の発明は、請求項１または請求項２に記載の発明において、筒状包材が円筒状のものである場合に、筒状包材の移送経路上における折込開始位置よりも上流側に、該筒状包材を四角筒状に整形する整形手段が備えられていることを特徴とする。
【発明の効果】
【００１１】
次に、本発明の効果について説明する。
【００１２】
まず、請求項１に記載の発明によれば、横シール及び折り込みに際して、横シール部材及び折込部材が、連続的に移送される筒状包材に追従してそれぞれ移動する。したがって、筒状包材の移送停止に伴う時間のロスがなくなり、袋生産の高速化が可能となる。なお、第１、第２の駆動手段の駆動源は、独立、共用のいずれでも対応可能である。
【００１３】
また、請求項２に記載の発明によれば、第１の駆動手段の駆動源と第２の駆動手段の駆動源とは共用されているので、共用されていない場合と比較して、製袋包装機の小型化を実現することができる。
【００１４】
そして、請求項３に記載の発明によれば、筒状包材が円筒状のものである場合、折込部材が当接される前に四角筒状に変形されることとなる。したがって、折込部材が筒状包材の側部に当接した際に、該包材が内方に折り込まれやすくなって、折込部が確実に形成されることとなる。
【発明を実施するための最良の形態】
【００１５】
以下、本発明を実施するための最良の形態について説明する。
【００１６】
図１、図２は、本実施の形態に係る製袋包装機１の概略構成図である。これらの図に示すように、この製袋包装機１は、上下に延びる縦型タイプのものであり、上部１１ａが漏斗形状とされて、直上方の例えば組合せ計量装置によって所定重量に計量された物品が投入されるチューブ１１を有している。このチューブ１１の側方には、図示しないロール支持部から矢印ａで示すように繰り出された帯状の包材Ｆａの左右両縁部を重ね合わせて筒状とするフォーマ１２が設けられている。
【００１７】
チューブ１１には、帯状の包材Ｆａを該チューブ１１の左右（図２における左右）両側面に押し付けながら矢印ｂで示すよう下方へ搬送する一対のプルダウンベルト１３，１３が配置されている。また、チューブ１１には、包材Ｆａの重ね合わせ部をシールして筒状に成形する縦シール装置１４が配置されている。
【００１８】
プルダウンベルト１３，１３及び縦シール装置１４の下方には、筒状包材Ｆｂを前後（図１における左右）両側から挟み付けて、該包材Ｆｂの所定位置をシールすると共にそのシール部近傍を幅方向に切断することにより、筒状包材Ｆｂに底部を形成すると同時に、物品Ｘ…Ｘが収容された筒状包材Ｆｂの上端部をシールして袋Ｆｃとする横シール装置１６が配置されている。
【００１９】
この横シール装置１６は、前後一対の横シール機構１６ａ，１６ａを有している。各横シール機構１６ａは、ガイドレール１７，１７上をスライド可能に支持されると共に回転軸２１を回転自在に支持する移動板１８と、該回転軸２１に固定された左右一対の連結部材２２，２２と、両連結部材２２，２２の両端部間にそれぞれ設けられたシールジョー２３，２３（２３−１，２３−２）とを有している。このシールジョー２３，２３は、図示しないカム機構及び付勢機構により先端が回転軸２１の回転角に応じた所定の方向に向くように構成されている。なお、これについての具体的構成は、例えば、特開２００４−１５５４６４号公報に記載されており、その説明は省略する。
【００２０】
また、製袋包装機１は、図１に示すように、回転軸２１，２１を駆動機構を介して矢印ｅ，ｅで示すように回転させる回転駆動用サーボモータ１０１（図６参照）と、移動板１８，１８を（回転軸２１，２１を）別の駆動機構を介して矢印ｆ，ｆで示すように互いに接近離反する方向にガイドレール１７，１７上を移動させる水平駆動用サーボモータ１０２（図６参照）とを有している。なお、これらの駆動機構としては、前記特開２００４−１５５４６４号公報に記載のものとほぼ同構成のものが用いられており、具体的説明は省略する。また、これらの駆動機構は、特許請求の範囲における第１の駆動手段を構成しており、回転駆動用サーボモータ１０１及び水平駆動用サーボモータ１０２は、第１の駆動手段の駆動源を構成している。
【００２１】
ここで、本実施の形態に係る製袋包装機１には、袋の側部に折込部（ガセット）Ｇを形成する折込装置３０が備えられている。
【００２２】
この折込装置３０は、左右一対の折込機構３０ａ，３０ａを有しており、この折込機構３０ａ（左右対称のため一方について説明する）は、図２、図３に示すように、シール機構１６ａ，１６ａのフレーム１６ｆ上に設けられた垂直ロッド３１，３１により上下に移動可能に支持されたベース部材３２と、該ベース部材３２上でスライド可能に設けられたブロック３３と、該ブロック３３の上端部に棒状部材を介して取り付けられた平面視ホームベース状で板状の第１折込部材３４と、該ブロック３３の下端部に棒状部材を介して取り付けられた板状の第２折込部材３５と、前記ブロック３３をベース部材３２上で筒状包材Ｆｂに対して進退移動させるエアシリンダ３６とを有している。
【００２３】
また、この折込装置３０は、折込機構３０ａの下方に、該折込機構３０ａを上下に移動させる昇降機構４０を有している。この昇降機構４０は、シール機構１６ａ，１６ａのフレーム１６ｆ，１６ｆの下部に固定された左右一対のブラケット４１，４１により回動可能に支持されて、両端部に径方向に伸びるアーム４２，４２が固着された回動軸４３と、アーム４２，４２の端部と前記ベース部材３２，３２の下方折曲部をそれぞれ連結する連結部材４４，４４と、駆動モータ１０３と、該駆動モータ１０３の出力軸端部に設けられた駆動プーリ４６と前記回動軸４３の中間部に設けられた従動プーリ４７との間に掛け渡されたタイミングベルト４８とを有しており、駆動モータ１０３を作動させると、タイミングベルト４８を介して回動軸４３が回転し、この回動軸４３の回転がアーム４２，４２及び連部部材４４，４４により上下運動に変換されて、ベース部材３２，３２が昇降するようになっている。ここで、この昇降機構４０は、特許請求の範囲における第２の駆動手段を構成している。
【００２４】
また、前記チューブ１１は、上部１１ａ及びその下方近傍部分の断面がほぼ円形とされているのに対し、中間部１１ｂの断面は図４に示すように四角形の角が丸められた、四角形と円形との中間の形状とされ、下部１１ｃの断面は図５に示すように四角形とされ、これにより、円筒状の包材が、移送されながらなめらかに四角筒状に整形されるようになっている。
【００２５】
この製袋包装機１には、図６に示すように、該製袋包装機１を総括的に制御するコントロールユニット１００が備えられている。このコントロールユニット１００は、前記プルダウンベルト１３，１３の駆動用サーボモータ１３ａ，１３ａ、各モータ１０１〜１０３、及びエアシリンダ３６駆動用のアクチュエータ１０４（エア供給装置）を以下のように制御する。
【００２６】
すなわち、コントロールユニット１００は、プルダウンベルト１３，１３の駆動用サーボモータ１３ａ，１３ａを一定速度で連続的に作動させる。これにより、筒状包材Ｆｂが、下方へ所定の速度で連続的に移送される。
【００２７】
また、コントロールユニット１００は、横シール機構１６ａ，１６ａのシールジョー回転駆動用サーボモータ１０１を連続的に作動させる。一方、横シール機構１６ａ，１６ａの水平移動用サーボモータ１０２については、シールジョー２３，２３の回転角がθ１からθ２の範囲内（図１参照）にあるときに作動させる。詳しくは、回転角がθ１からθ１とθ２との中間位置（図１に示す状態）までは回転軸２１，２１同士を離反させる方向に移動させ、回転角がこの中間位置からθ２までは回転軸２１，２１同士を接近させる方向に移動させる。なお、その際、シールジョー２３，２３の移動軌跡が図１に示すようにＤ字状となるように、かつ、シールジョー２３，２３が筒状包材Ｆｂを挟んで対接している回転角がθ１からθ２の間における下方への移動速度が、プルダウンベルト１３，１３による包材Ｆｂの下方への移送速度と等しくなるように、回転駆動用サーボモータ１０１の回転速度及び水平駆動用サーボモータ１０２の水平移動速度が制御される。
【００２８】
また、コントロールユニット１００は、折込装置３０の前記昇降駆動用サーボモータ１０２を連続的に作動させる。なお、その際、折込部材３４，３４，３５，３５の下方への移動速度が、プルダウンベルト１３，１３による包材Ｆｂの下方への移送速度と等しくなるように、昇降駆動用サーボモータ１０２の回転速度を制御する。
【００２９】
また、コントロールユニット１００は、エアシリンダ３６のシリンダロッドを伸縮させる進退駆動用アクチュエータ１０４を、エアシリンダ３６のシリンダロッドが、折込部材３４，３５が最上方位置にあるときに伸長動作し、所定の期間最伸長状態に保持された後、最下方位置の直前で縮長動作するように制御する。このように、折込装置３０の前記昇降駆動用サーボモータ１０３及びアクチュエータ１０４が制御されることにより、第１折込部材３４，３４は、先端が、図９等に示すようにボックス状の移動軌跡を描いて移動することとなる。
【００３０】
次に、シールジョー２３…２３、折込部材３４，３４，３５，３５の動作タイミング等について図７〜図１６を用いて説明する。なお、筒状包材Ｆｂは前述のようにプルダウンベルト１３，１３により連続的に下方に移送されている。
【００３１】
まず、図８に示す、ツインジョーの一方の第１シールジョー２３−１，２３−１により横シールされた状態（第１シールジョー２３−１，２３−１の回転角がθ２の状態、図７における時間ｔ１）から説明すると、このとき、折込部材３４，３４，３５，３５は、図９に示すように、２点鎖線で示す移動軌跡上において、後退位置で最上方位置近傍まで上昇した位置にある。
【００３２】
そして、その直後に、製袋済の袋Ｆｃがシールジョー２３，２３に内蔵されたカッタにより切断されると共に、下端部が横シールされた状態の筒状包材Ｆｂに物品Ｘが投入される。なお、図１０、図１１（図７における時間ｔ２の状態を示す）は、その少し後の状態を示し、このとき、折込部材３４，３４，３５，３５は、移動軌跡上において、後退位置でほぼ最上方位置にある。
【００３３】
そして、図１２、図１３（図７における時間ｔ３の状態を示す）に示すように、折込部材３４，３４，３５，３５が降下しながら最前進位置まで前進する。ここで、このとき、筒状包材Ｆｂの横シール予定部（図１３でハッチングを施している部分）が、チューブ１１の下端直下まで移送されてきている。したがって、筒状包材Ｆｂの横シール予定部の近傍側部が、折込部材３４，３４，３５，３５によりチューブ１１の下端部に沿って内方に折り込まれる。なお、折込部材３４，３４，３５，３５の下降速度は、前述のように、筒状包材Ｆｂの移送速度とほぼ同速度となるように制御されているので、折込部材３４，３４，３５，３５が筒状包材Ｆｂの側部に食い込んだ状態で該包材Ｆｂに対して相対移動することがなく、この結果、該包材Ｆｂにひっかかることによる該包材Ｆｂの破損をを防止することができる。
【００３４】
そして、図７に示すように、折込部材３４，３４，３５，３５は、最前進位置にある状態で、筒状包材Ｆｂの移送に追従して（前述のように筒状包材Ｆｂの移送速度とほぼ同速度で）下降した後、最下方位置に達する直前に後退する（時間ｔ４）。
【００３５】
そして、折込部材３４，３４，３５，３５が後退位置に後退してほとんど時間が経たない間に、すなわち、筒状包材Ｆｂに折込Ｇがまだほぼそのまま残っている状態で、図１４、図１５に示すように、第２シールジョー２３−２，２３−２が回転角θ１の位置に達して筒状包材Ｆｂの横シール予定部を挟み付け、これにより、横シール予定部の横シールが開始する。
【００３６】
そして、第２シールジョー２３−２，２３−２の回転角が、θ１からθ２に達するまでの間、該シールジョー２３−２，２３−２から横シール予定部に熱が加えられ、横シールが行われる。なお、この回転角がθ１からθ２への間のシールジョー２３−２，２３−２の下降速度は、前述のように、筒状包材Ｆｂの移送速度と同速度に制御される。
【００３７】
そして、以後、回転角がθ２以後の前述した動作が繰り返し行われることとなる。
【００３８】
以上のように、本実施の形態によれば、筒状包材Ｆｂの横シール及び折り込みに際して、シールジョー２３…２３及び折込部材３４，３４，３５，３５が、連続的に移送される筒状包材Ｆｂに追従して移動するので、筒状包材Ｆｂの移送を停止する必要がなくなる。したがって、移送停止による時間のロスがなくなり、生産の高速化が可能となる。
【００３９】
また、筒状包材Ｆｂが円筒状のものである場合、折込部材３４，３４，３５，３５が当接される前に四角筒状に変形されることとなる。したがって、折込部材３４，３４，３５，３５が筒状包材Ｆｂの側部に当接した際に、該包材Ｆｂが内方に折り込まれやすくなって、折込部Ｇが確実に形成されることとなる。
【００４０】
なお、本実施の形態においては、横シール装置１６がロータリータイプのもの場合について説明したが、前記特許文献１に記載のようなロータリータイプでないものについても本発明は適用可能であり、その場合、シールジョー及び折込部材を支持する固定フレーム自体を、筒状包材の移送に追従して前記実施の形態と同様の駆動機構で下方へ移動させるように構成し、これにより、シールジョー及び折込部材を上下させることができる。
【００４１】
また、本実施の形態においては、折込装置３０を駆動するための専用のサーボモータ１０３を設けたが、横シール装置１６の回転軸２１，２１を回転駆動するサーボモータ１０１と共用することも可能であり、以下、その具体例について説明する。なお、前記実施の形態と共通のものについては、同一番号に「′」を付した符号を用いて説明する。
【００４２】
すなわち、この例においては、図１７に示すように、回転軸２１′，２１′を回転駆動する駆動機構５０は、該回転軸２１′，２１′に公知のシュミットカップリングを介して連結された駆動軸５１，５１と、該駆動軸５１，５１に固設され、互いに噛合する駆動ギヤ５２，５２と、該ギヤ５２，５２の一方に噛合する中間ギヤ５３が固設された中間軸５４と、回転駆動用サーボモータ１０１′と、該回転駆動用サーボモータ１０１′の出力軸端部に設けられたプーリ５５と前記中間軸５４上に設けられたプーリ５６との間に掛け渡されたタイミングベルト５７とを有しており、回転駆動用サーボモータ１０１′が作動すると、その出力軸の回転が、タイミングベルト５７、中間ギヤ５３、駆動ギヤ５２，５２を介して、駆動軸５１，５１に伝達され、その回転がシュミットカップリングを介して回転軸２１′，２１′に伝達されるようになっている。
【００４３】
その場合に、昇降機構４０′の回転軸４３′上に設けられた従動ギヤ６０が前記駆動ギヤ５２，５２の他方に噛合しており、これにより、回転駆動用サーボモータ１０１′が作動すると、その出力軸の回転が、タイミングベルト５７、中間ギヤ５３、駆動ギヤ５２，５２、従動ギヤ６０を介して、回転軸４３′に伝達され、この回動軸４３′の回転がアーム４２′，４２′及び連部部材４４′，４４により上下運動に変換されて、ベース部材３２′，３２′が昇降するようになっている。なお、駆動ギヤ５２，５２と従動ギヤ６０のギヤ比は２：１とされており、駆動軸５１，５１が半回転する間に、回動軸４３′が１回転するようになっている。また、回転駆動用サーボモータ１０１の回転速度は、折込部材３４′，３４′，３５′，３５′が下降している間は、該下降速度が、筒状包材Ｆｂの移送速度と同速度となるように制御され、シールジョー２３′…２３′の回転角がθ１〜θ２の間は、シールジョー２３′…２３′の下方への移動速度が、筒状包材Ｆｂの移送速度と同速度となるように制御される。
【００４４】
この例によれば、横シール装置の駆動源と折込装置３０′の駆動源が、回転駆動用サーボモータ１０１′で共用されているので、共用されていない場合と比較して、製袋包装機の小型化を実現することができる。また、横シール装置と折込装置３０′との同期を容易にとることができるようになる。
【産業上の利用可能性】
【００４５】
本発明は、筒状包材を折込部を有する袋に成形しながらその袋に物品を充填して袋詰め商品を連続生産する製袋包装機に広く適用することができる。
【図面の簡単な説明】
【００４６】
【図１】本実施の形態に係る製袋包装機の概略構成図である。
【図２】本実施の形態に係る製袋包装機の概略正面図である。
【図３】図２のＡ矢視図である。
【図４】図２のＢ−Ｂ断面図である。
【図５】図２のＣ−Ｃ断面図である。
【図６】本製袋包装機の制御構成図である。
【図７】本製袋包装機の動作説明用のタイムチャートである。
【図８】本製袋包装機の動作説明図である。
【図９】本製袋包装機の動作説明図である。
【図１０】本製袋包装機の動作説明図である。
【図１１】本製袋包装機の動作説明図である。
【図１２】本製袋包装機の動作説明図である。
【図１３】本製袋包装機の動作説明図である。
【図１４】本製袋包装機の動作説明図である。
【図１５】本製袋包装機の動作説明図である。
【図１６】本製袋包装機の動作説明図である。
【図１７】シールジョーの回転駆動用モータにより折込部材の昇降機構を駆動するようにした場合の図３相当の図である。
【図１８】折込部を有する袋の外観例を示す斜視図である。
【図１９】背景技術に係る製袋包装機の動作説明図である。
【符号の説明】
【００４７】
１      製袋包装機
１３，１３    プルダウンベルト（移送手段）
２３…２３    シールジョー（横シール部材）
３５，３５，３６，３６    第１、第２折込部材（折込部材）
４０    昇降機構（第２の駆動手段）
Ｆｂ    筒状包材
Ｆｃ    袋
【図１】
2007145366.tif 000003
【図２】
2007145366.tif 000004
【図３】
2007145366.tif 000005
【図４】
2007145366.tif 000006
【図５】
2007145366.tif 000007
【図６】
2007145366.tif 000008
【図７】
2007145366.tif 000009
【図８】
2007145366.tif 000010
【図９】
2007145366.tif 000011
【図１０】
2007145366.tif 000012
【図１１】
2007145366.tif 000013
【図１２】
2007145366.tif 000014
【図１３】
2007145366.tif 000015
【図１４】
2007145366.tif 000016
【図１５】
2007145366.tif 000017
【図１６】
2007145366.tif 000018
【図１７】
2007145366.tif 000019
【図１８】
2007145366.tif 000020
【図１９】
2007145366.tif 000021